【手続補正書】
【提出日】平成26年5月21日(2014.5.21)
【手続補正１】
【補正対象書類名】特許請求の範囲
【補正対象項目名】全文
【補正方法】変更
【補正の内容】
【特許請求の範囲】
【請求項１】
地理的場所の識別子を表示する方法であって、
体系化されていない検索クエリーに基づいて第１の体系化された地理的場所の識別子を決定するステップと、
前記第１の体系化された地理的場所の識別子に関連する幾何学的特徴を決定するステップと、
前記幾何学的特徴に基づいて第１のズームレベルを決定するステップと、
前記幾何学的特徴に基づいてクリッピング形状を決定するステップと、
前記第１のズームレベルに少なくとも部分的に基づいて１セットの地図タイルを決定するステップと、
前記１セットの地図タイルを前記クリッピング形状に関して表示するステップと、
を備える方法。
【請求項２】
前記体系化されていない検索クエリーに基づいて第１の体系化された地理的場所の識別子を決定するステップは、該体系化されていない検索クエリー中における、該第１の体系化された地理的場所の識別子を指定しているユーザ定義されたショートカットを識別するステップを備える請求項１に記載の方法。
【請求項３】
前記第１の体系化された地理的場所の識別子とは、番地、交差点又は興味のある地点の１つであり、且つ、前記幾何学的特徴とは或る地点である請求項１又は２に記載の方法。
【請求項４】
前記第１の体系化された地理的場所の識別子とは街路であり、且つ、前記幾何学的特徴とはポリラインである請求項１又は２に記載の方法。
【請求項５】
前記第１の体系化された地理的場所の識別子とは、都市、郡、国、首都圏、近隣、郵便番号又は州の１つであり、且つ、前記幾何学的特徴とはポリゴンである請求項１又は２に記載の方法。
【請求項６】
前記地図タイルは、地図画像からなる請求項１乃至５の何れかに記載の方法。
【請求項７】
前記地図タイルは、衛星画像からなる請求項１乃至５の何れかに記載の方法。
【請求項８】
前記地図タイルは、空間的フォーマットでデータベース内に格納され、前記データベース内における複数の地図タイル間の空間的近さは、マップヴューにおける該複数の地図タイル間の空間的近さに対応する請求項１乃至７の何れかに記載の方法。
【請求項９】
前記体系化されていない検索クエリーと前記第１の体系化された地理的場所の識別子に基づいて第２の体系化された地理的場所の識別子を決定するステップと、
前記第２の体系化された地理的場所の識別子に基づいて場所マーカーを生成するステップと、
前記場所マーカーを前記１セットの地図タイル上に表示するステップ
を更に備える請求項１乃至８の何れかに記載の方法。
【請求項１０】
前記１セットの地図タイルを前記クリッピング形状に関して表示するステップは、該１セットの地図タイルを１つの表示ウィンドウ上へスライドさせるステップを備える請求項１乃至９の何れかに記載の方法。
【請求項１１】
前記１セットの地図タイルを前記クリッピング形状に関して表示するステップが、
第１地図ビューを決定するステップと、
第２ズームレベルへ縮小するときに、前記第１地図ビューを表示するステップと、
前記第２ズームレベルで第２地図ビューへパンするステップであって、該第２地図ビューが前記幾何学的特徴を備えるものと、
前記第１ズームレベルへ拡大するときに、該幾何学的特徴を表示するステップと
を、更に備える請求項１乃至９の何れかに記載の方法。
【請求項１２】
地理的場所マーカーを表示する方法であって、
体系化されていない検索クエリーに基づいて第１の体系化された地理的場所の識別子を決定するステップと、
前記第１の体系化された地理的場所の識別子に基づいて場所マーカーを生成するステップと、
前記地理的場所マーカーを地図画像上に表示するステップであって、該地理的場所マーカーを第１の対応する陰影とともに表示するステップと
を備える方法。
【請求項１３】
前記地理的場所マーカーを第１の対応する陰影とともに表示するステップは、前記地理的場所マーカー及び該第１の対応する陰影の少なくとも一方を、第１オーバレイ内に描画するステップを備える請求項１２に記載の方法。
【請求項１４】
前記第１オーバレイは、画像からなる請求項１３に記載の方法。
【請求項１５】
前記第１オーバレイは、少なくともベクタ形式からなる請求項１３に記載の方法。
【請求項１６】
前記第１の対応する陰影のサイズは前記場所マーカーのサイズに比例するものである請求項１２乃至１５の何れかに記載の方法。
【請求項１７】
前記第１の対応する陰影の高さは前記場所マーカーの高さの割合に対応する請求項１２乃至１５の何れかに記載の方法。
【請求項１８】
前記第１の対応する陰影は前記場所マーカーに対して角度を付けて表示されるものである請求項１２乃至１７の何れかに記載の方法。
【請求項１９】
前記第１の対応する陰影は、前記場所マーカーに最も近い第１領域で最も暗く、且つ、該場所マーカーから最も離れた第２領域で最も明るくなるものである請求項１２乃至１８の何れかに記載の方法。
【請求項２０】
体系化されていない検索クエリーに基づいて複数の体系化された地理的場所の識別子を決定するステップと、
前記複数の体系化された地理的場所の識別子に基づいて複数の場所マーカーを生成するステップと、
前記複数の場所マーカーを複数の対応する陰影とともに前記地図画像に表示するステップ
を更に備える請求項１２乃至１９の何れかに記載の方法。
【請求項２１】
前記複数の場所マーカーは、複数の検索結果に関連付けて表示され、該複数の検索結果のうち少なくとも一部はウェブページへのリンクからなる請求項２０に記載の方法。
【請求項２２】
前記場所マーカーについてのユーザの選択に応じて情報ウィンドウを生成するステップと、
前記地図画像上に前記場所マーカーに関連付けて前記情報ウィンドウを表示するステップであって、該情報ウィンドウを第２の対応する陰影とともに表示するステップ
を、更に備える請求項１２乃至２１の何れかに記載の方法。
【請求項２３】
前記場所マーカーについてのユーザの選択は、該ユーザが該場所マーカーをクリックすることからなる請求項２２に記載の方法。
【請求項２４】
前記情報ウィドウはＨＴＭＬウィンドウである請求項２２又は２３に記載の方法。
【請求項２５】
前記情報ウィドウは前記地図画像の一セクションである請求項２２又は２３に記載の方法。
【請求項２６】
前記第２の対応する陰影を表示するステップは、該第２の対応する陰影を、第２オーバレイ内に描画するステップを備える請求項２２乃至２５の何れかに記載の方法。
【請求項２７】
前記第２の対応する陰影のサイズは前記情報ウィンドウのサイズに比例するものである請求項２２乃至２６の何れかに記載の方法。
【請求項２８】
前記第２の対応する陰影の高さは前記情報ウィンドウの高さの割合に対応する請求項２２乃至２６の何れかに記載の方法。
【請求項２９】
前記第２の対応する陰影は前記情報ウィンドウに対して角度を付けて表示されるものである請求項２２乃至２８の何れかに記載の方法。
【請求項３０】
前記第２の対応する陰影は、前記情報ウィンドウに最も近い第１領域で最も暗く、且つ、該情報ウィンドウから最も離れた第２領域で最も明るくなるものである請求項２２乃至２９の何れかに記載の方法。
【請求項３１】
複数の前記場所マーカーに対応して複数の前記情報ウィンドウを表示するステップであって、該複数の情報ウィンドウを東から西の順に、又は、北から南の順に表示するステップを、更に備える請求項２２乃至３０の何れかに記載の方法。